(57)【要約】【課題】全ての光パス候補の波長分散量測定を高速かつ低コストに行うことで、分散補償された光パスを動的に設定可能なリング型光伝送システムを提供する。【解決手段】リング型光伝送システムにおける複数のノードは、監視制御波長を使用してリング上の他のノードとの通信を制御するノード制御部２４と、リング上のノード間の波長分散量を測定する波長分散量測定部２３をそれぞれ備え、ノード制御部２４は、リング上に接続されたノードのアドレス情報を収集することで、各ノードのアドレス情報に基づいて波長分散量を測定する波長分散量測定トークンを保持するノードを決定し（Ｓ３０）、波長分散量測定部２３を用いて波長分散量測定トークンを保持したノードと波長分散量を測定すべきリング上のノード間との光パスの波長分散量を測定し（Ｓ３１）、全ノードへの波長分散量の測定完了後、波長分散量測定トークンを次のノードへ渡す（Ｓ３２，Ｓ３３）。【選択図】図３
2008054176.tif 000002
【特許請求の範囲】
【請求項１】
複数のノードが光ファイバを介して接続されたリング型光伝送システムにおいて、
前記複数のノードは、監視制御波長を使用してリング上の他のノードとの通信を制御するノード制御手段と、リング上のノード間の波長分散量を測定する波長分散量測定手段をそれぞれ備え、
前記ノード制御手段は、
リング上に接続されたノードのアドレス情報を収集することで、各ノードのアドレス情報に基づいて波長分散量を測定する波長分散量測定トークンを保持するノードを決定し、
前記波長分散量測定手段を用いて前記波長分散量測定トークンを保持したノードと波長分散量を測定すべきリング上のノード間との光パスの波長分散量を測定し、
全ノードへの波長分散量の測定完了後、前記波長分散量測定トークンを次のノードへ渡す
ことを特徴とするリング型光伝送システム。
【請求項２】
請求項１に記載のリング型光伝送システムにおいて、
前記ノード制御手段は、
各ノード間の波長分散量をリング上の全ノードへ通知する
ことを特徴とするリング型光伝送システム。
【発明の詳細な説明】
【技術分野】
【０００１】
この発明は、光通信のEnd−to−End間（送信端と受信端）である光パスの波長分散を補償するリング型光伝送システムに関するものである。
【背景技術】
【０００２】
現在の光ネットワークでは、光ファイバの分散によって生じる信号の歪みを補償するため、隣接ノード間の波長分散量に応じた分散補償ファイバを、事前の詳細設計（具体的にはノード間の波長分散量の測定結果）に基づき各ノードに搭載している。つまり、すべての隣接ノード間で、波長分散量が零となるように分散補償を行っていることになる。
【０００３】
しかしながら、これは、複数のノードを中継していく一つの光パスに対して、リンク単位（ここでは、ノード間をリンクと呼んでいる）に複数回の分散補償を行っていることとなり、分散補償コストが多大となる。
【０００４】
そのため、各ノード間（リンク単位）の波長分散量を測定し、その情報をノード間で交換したり、波長分散量管理サーバに通知したりして、光パス全体の波長分散量を、リンク単位の波長分散量を累積することにより求めている（例えば、特許文献１及び特許文献２参照）。その結果、複数のノードを中継する一つの光パスに対しては、累積した波長分散量を補償するための分散補償だけを行えばよいため、リンク単位に分散補償するよりも、分散補償コストが低減できる。
【０００５】
【特許文献１】特開２００３−１２１３０３号公報
【特許文献２】特開２００４−２７４２３８号公報
【発明の開示】
【発明が解決しようとする課題】
【０００６】
今後、ビットレートが高速化（たとえば１０Ｇｂ／ｓから４０Ｇｂ／ｓや１６０Ｇｂ／ｓに高速化）すると、より高精度な分散補償が必要となってくる。
【０００７】
そのため、ノードが収容しているリンクの数と同じだけ、波長分散量を測定する機能を実現しようとすると、高精度で高価な波長分散量を測定する機能が、リンクの数だけ必要となり、光伝送システム全体のコストが高くなる。
【０００８】
また、たとえリンク単位に高精度な波長分散量を測定したとしても、リンク単位の波長分散量を累積する過程で、その誤差も累積されてしまう。また、リンク単位の測定では、光パスの中継ノードにおける光デバイス等の波長分散量も無視できない。
【０００９】
本発明は、上記のような問題を解決するため、リング型光伝送システムにおいて、あらかじめ全ての光パス候補の波長分散量測定を高速かつ低コストに行うことにより、分散補償された光パスを動的に設定可能なリング型光伝送システムを提供することを目的とする。
【課題を解決するための手段】
【００１０】
この発明に係るリング型光伝送システムは、複数のノードが光ファイバを介して接続されたリング型光伝送システムにおいて、前記複数のノードは、監視制御波長を使用してリング上の他のノードとの通信を制御するノード制御手段と、リング上のノード間の波長分散量を測定する波長分散量測定手段をそれぞれ備え、前記ノード制御手段は、リング上に接続されたノードのアドレス情報を収集することで、各ノードのアドレス情報に基づいて波長分散量を測定する波長分散量測定トークンを保持するノードを決定し、前記波長分散量測定手段を用いて前記波長分散量測定トークンを保持したノードと波長分散量を測定すべきリング上のノード間との光パスの波長分散量を測定し、全ノードへの波長分散量の測定完了後、前記波長分散量測定トークンを次のノードへ渡すことを特徴とする。
【発明の効果】
【００１１】
この発明によれば、あらかじめ全ての光パス候補の波長分散量測定を高速かつ低コストに行うことにより、分散補償された光パスを動的に設定可能なリング型光伝送システムを提供することができる。
【発明を実施するための最良の形態】
【００１２】
実施の形態１．
図１は、この発明の実施の形態１に係るリング型光伝送システムの構成を示すブロック図である。図１に示すように、リング型光伝送システムのノード１，２，３は、光ファイバ４，５，６を介して接続されている。このリング型光伝送システムに、実際にはルータやスイッチ等でなるクライアント装置７，８が制御ネットワーク１１，１２を介して接続されている。
【００１３】
図２は、図１に示されたリング型光伝送システムにおけるノード、例えばノード１の構成を示すブロック図である。ノード１は、クライアント装置を収容し、リング型光伝送システムを介して、所望の光信号により、宛先クライアント装置を収容している宛先クライアント収容部との通信を行うクライアント収容部２１，２２（ここでは、クライアント装置７はクライアント収容部２１に収容されている）と、波長分散量を測定するための波長分散量測定部２３と、監視制御波長を使用してリング上の他ノードとの通信を制御するとともに、クライアント装置との制御ネットワーク１１を収容するノード制御部２４と、クライアント収容部２１，２２や、波長分散量測定部２３、ノード制御部２４から送信される異なる波長の光信号を光ファイバ４や光ファイバ６へ合波したり、逆に光ファイバ内を伝搬してきた複数波長の光信号を波長ごとに分波したりする光合分波器２５と、光合分波器２５で分波された光信号を通過、もしくは所望のクライアント収容部へ接続したり、クライアント収容部からの光信号を所望の光ファイバへ接続するための光スイッチ２６とを備える。なお、ノード２，３にも同様な構成を備えている。
【００１４】
次に上記構成に係るリング型光伝送システムの動作を、図３に示すノード制御部２４の制御動作を示すフローチャートを参照して説明する。
各ノード１，２，３には、監視制御波長を介して、リング上の各ノードと通信するためのアドレス情報（たとえばＩＰアドレス等）が予め設定されているものとする。たとえばノード１にはＩＰアドレス１０.０.０.１、ノード２にはＩＰアドレス１０.０.０.２、ノード３にはＩＰアドレス１０.０.０.３が設定されている。
【００１５】
各ノード１，２，３のノード制御部２４は、監視制御波長を介して隣接する両側のノードと通信し、リング上の波長分散量を測定する権利（波長分散量測定トークン）を保持するノードを決定する（図３のステップＳ３０）。たとえば設定されているＩＰアドレスが一番小さな値を持っているノードが、最初に波長分散量測定トークンを保持することとすると、ノード１が波長分散量測定トークンを保持することとなる。
【００１６】
まず、例えばノード１のノード制御部２４は、リング上に接続されているノードの順番と、それらのノードと通信するためのアドレス情報を収集するためのリング監視メッセージを、例えば右回りに送信することとする。
【００１７】
図４は、リング監視メッセージの例を示す図である。
図４に示すように、リング監視メッセージにはエントリ数とアドレス情報が含まれている。ノード１は、リング監視メッセージ送信時に、自ノードのアドレス情報を登録して右側のノードであるノード２へ送信する。ノード２は、最初のエントリを参照して、自分が送信したリング監視メッセージではないので、自ノードのアドレス情報１０.０.０.２を追加登録して、右側のノードであるノード３へ送信する。ノード３は、同様に、最初のエントリを参照して、自分が送信したリング監視メッセージではないので、自ノードのアドレス情報１０.０.０.３を追加登録して、右側のノードであるノード１へ送信する。ノード１は、同様に、最初のエントリを参照して、自ノードのアドレス情報１０.０.０.１が登録されているので、自分が送信したリング監視メッセージであると判断する。
【００１８】
その結果、ノード１は、リング監視メッセージ内に登録されているエントリ情報より、リング上に接続されているノードの順に、ノードのアドレス情報を収集できる。この各ノードのアドレス情報に基づいて波長分散測定トークンを保持するノードを決定することになり、この場合、波長分散測定トークンを保持するノードは、ノード１に決定され、他のノードにも通知される。
【００１９】
次に、波長分散測定トークンを保持したノード１のノード制御部２４は、順番に各ノードとの間の波長分散量を測定する（図３のステップＳ３１）。
最初に、ノード１が、ノード２との間の右回りの波長分散量を測定する場合について、図５を用いて説明する。
ノード１のノード制御部２４は、まず、波長分散量測定部２３を光ファイバ４に接続するように光スイッチ２６を設定し、波長分散量測定開始リクエストをノード２へ送信する。
【００２０】
波長分散量測定開始リクエストを受信したノード２は、同様に、波長分散量測定部２３を、光ファイバ４に接続するように光スイッチを設定し、測定開始設定を行い、波長分散量測定開始ＯＫレスポンスを返信する。
【００２１】
波長分散量測定開始ＯＫレスポンスを受信したノード１は、波長分散量測定部２３を制御して、ノード２との間の波長分散量の測定を開始する。波長分散量の測定は、たとえば、測定用の固定波長λ１と、測定用の固定波長λ２を使用し、特定の信号パターンを同時に送信し、受信側で、その信号パターンの時間差を測定することにより実施する。
【００２２】
ノード２の波長分散量測定部は、測定した波長分散量を、波長分散量測定結果通知メッセージにより、ノード１へ通知する。
【００２３】
ノード１のノード制御部２４は、波長分散量測定結果通知メッセージを受信すると、波長分散量の測定が完了したものと判断し、光スイッチ２６を設定して、波長分散量測定部２３と光ファイバ４との接続を解除し、波長分散量測定完了リクエストをノード２に送信する。
【００２４】
ノード２は、波長分散量測定完了リクエストを受信すると、同様に、光スイッチ２６を設定して、波長分散量測定部２３と光ファイバ４との接続を解除し、ノード１に対して、波長分散量測定完了ＯＫレスポンスを送信する。
【００２５】
上記により、ノード１は、ノード２との間の波長分散量が測定できる。
【００２６】
同様に、ノード１は、ノード３との間の右回りの波長分散量を測定する。ノード１は、全てのノードに対する右回りの波長分散量の測定が完了すると、次に左回りの波長分散量の測定を実施する。
【００２７】
上記のようにして、ノード１は、リング上の全ノードとの間の、右回りと左回りの波長分散量を測定することができる。
【００２８】
ノード１のノード制御部２４は、全ノードとの間の波長分散量の測定が完了すると（図３のステップＳ３２）、波長分散量測定トークンを、次のノード、たとえばノード２へ送信する（図３のステップＳ３３）。波長分散量測定トークンを受信したノード２は、ノード１と同様に、リング上の全ノードとの間の、右回りと左回りの波長分散量を測定後、波長分散量測定トークンを、さらに次のノードへ送信することにより、全ノードが、全ノード間との波長分散量を測定することが可能となる。
【００２９】
次に、クライアント装置７が、クライアント装置８へ光パスを設定する場合について説明する。
クライアント装置７は、ノード１のノード制御部２４に対して、制御ネットワーク１１を介して、クライアント装置８までの光パス設定要求を伝える。ノード制御部２４は、ノード２までの光パスとして、最適な光パスを選択する。たとえば、右回りの光パスと左回りの光パスの波長分散量を比較し、波長分散量の少ない光パスを選択し、同時に使用する波長を決定する。
【００３０】
ここでは、右回りの光パスを選択したものとする。ノード１のノード制御部２４は、クライアント装置７を収容しているクライアント収容部２１に対して使用する波長を設定し、光スイッチ２６を制御して、クライアント収容部２１と光ファイバ４を接続する。そして、ノード２のノード制御部に対して、光パス設定要求を送信する。光パス設定要求には、使用する波長、光パスの経路（右回り）、およびその光パスの波長分散量が含まれている。
【００３１】
ノード２のノード制御部は、光パス設定要求を受信すると、クライアント装置８を収容しているクライアント収容部に対して、使用する波長を設定し、光スイッチを制御してクライアント収容部と光ファイバ４を接続する。そして、クライアント装置８に対して、光パス設定要求を送信する。
【００３２】
上記により、ノード１とノード２のクライアント収容部は接続され、あらかじめ測定済みの波長分散量を用いた分散補償により、相互に通信することができるようになる。
【００３３】
その結果、クライアント装置７とクライアント装置８間における分散補償された光パスの設定ができる。なお、光パスの設定の具体的手順は、IETFで標準化が進められているGMPLS技術により実現される。
【００３４】
以上のように、リング型光伝送システムにおいて、波長分散量測定トークンにより、あらかじめ全光パスの波長分散量を測定しているため、以下のような効果が得られる。
【００３５】
（１）波長分散量の測定は、トークンを保持しているノードより起動して実施するため、波長分散量測定部２３が使用できる状態か確認する必要がない。
（２）リンク単位の波長分散量を累積する必要がないので誤差が少ない。
（３）光パス設定時には波長分散量を測定する必要がないので、光パス設定時間を短縮することができる。
【００３６】
なお、上記実施の形態では、波長分散量測定トークンを保持しているノードのノード制御部２４は、リング上の全ノード間との波長分散量の測定が完了したら、波長分散量測定トークンを次のノードへ渡す場合について記述したが、波長分散量測定トークンは保持したまま、各ノード間の波長分散量を計算し、リング上の全ノードへ通知することとしても、同様の効果が得られる。
【図面の簡単な説明】
【００３７】
【図１】この発明の実施の形態１に係るリング型光伝送システムの構成を示すブロック図である。
【図２】図１に示されたリング型光伝送システムにおけるノード１の構成を示すブロック図である。
【図３】図２に示されるノードのノード制御部２４による制御動作を説明するフローチャートである。
【図４】リング監視メッセージの例を示す図である。
【図５】ノード１がノード２との間の右回りの波長分散量を測定する場合を説明する図である。
【符号の説明】
【００３８】
１〜３  リング型光伝送システムのノード、４〜６  光ファイバ、７、８  クライアント装置、１１、１２  制御ネットワーク、２１、２２  クライアント収容部、２３  波長分散量測定部、２４  ノード制御部、２５  光合分波器、２６  光スイッチ。
【図１】
2008054176.tif 000003
【図２】
2008054176.tif 000004
【図３】
2008054176.tif 000005
【図４】
2008054176.tif 000006
【図５】
2008054176.tif 000007